(57)【要約】【課題】  フローティング型ブレーキディスクを、付勢手段の作用量の自由度が高く、組付容易であり、また、制動を繰り返しても制動ロータに熱変形や熱劣化が生じ難い構造とする。【解決手段】  環状の制動ロータ１とこの制動ロータの内側に配置されるハブ２とを備え、付勢手段３により制動ロータを軸方向に付勢した状態でハブに制動ロータを連結しその際、前記付勢手段が軸方向に作用する板ばねであり、この板ばねの脱落を防止する規制手段４、５を設ける。この場合、規制手段によってハブからの制動ロータの軸方向の抜け止めを行なう。【選択図】  図４
2006161863.tif 000002
【特許請求の範囲】
【請求項１】
環状の制動ロータとこの制動ロータの内側に配置されるハブとを備え、付勢手段により制動ロータを軸方向に付勢した状態でハブに制動ロータを連結したフローティング型ブレーキディスクであって、前記付勢手段が軸方向に作用する板ばねであり、この板ばねの脱落を防止する規制手段を設けたことを特徴とするフローティング型ブレーキディスク。
【請求項２】
前記規制手段によって、前記ハブからの前記制動ロータの軸方向の抜け止めを行なうように構成したことを特徴とする請求項１記載のフローティング型ブレーキディスク。
【請求項３】
前記規制手段は、制動ロータの内側にハブを組付けた際に、制動ロータ及びハブの軸方向の面の一部を軸方向両側から覆って少なくともハブの軸方向の面に面接触するように構成した一対の押さえ板を有することを特徴とする請求項１または請求項２記載のフローティング型ブレーキディスク。
【請求項４】
前記一対の押さえ板の一方を、制動ロータ及びハブの軸方向の面の一部を覆う板状部とこの板状部から軸方向に延出させた柱状部とから構成し、この柱状部が貫通する開口を他方の押さえ板に形成し、前記柱状部を、ハブ及び制動ロータの少なくとも一方に設けた開口及び他方の押さえ板の開口を軸方向からそれぞれ貫通させ、その先端をかしめてなることを特徴とする請求項３記載のフローティング型ブレーキディスク。
【請求項５】
前記板ばねは略Ｌ字状に屈曲され、その一辺を制動ロータの内周縁部とハブの外周縁部とによって区画される空間に挿設して板ばねがセットされ、前記一辺の制動ロータの内周縁部及びハブの外周縁部にそれぞれ対向した面のうち少なくとも一方に隆起部を形成したことを特徴とする請求項１乃至請求項４のいずれかに記載のフローティング型ブレーキディスク。
【請求項６】
前記制動ロータとハブとの板厚を相互に相違させ、規制手段と制動ロータとの間に軸方向の間隙を設けたことを特徴とする請求項１乃至請求項５のいずれかに記載のフローティング型ブレーキディスク。
【請求項７】
前記制動ロータの内周面及び外周面の少なくとも一方に、凹部を形成したことを特徴とする請求項１乃至請求項６のいずれかに記載のフローティング型ブレーキディスク。
【請求項８】
前記制動ロータの内周縁部に所定の間隔を置いて複数の突出片を形成すると共に、各突出片に対応してハブの外周縁部に凹部を形成し、各突出片を各凹部に嵌挿させつつ制動ロータ１の内側にハブを組付け、各突出片を各凹部に嵌挿させた領域に前記規制手段を配置し、前記突起片の半径方向に沿った両側面に対称にくぼみ部を設けたことを特徴とする請求項１乃至請求項７のいずれかに記載のフローティング型ブレーキディスク。
【発明の詳細な説明】
【技術分野】
【０００１】
本発明は、車輛、例えば自動二輪車の制動に用いられるフローティング型ブレーキディスクに関する。
【背景技術】
【０００２】
一般に、この種のブレーキディスクでは、ブレーキ操作による制動を繰り返しても制動ロータ自体が変形する等の不具合を防止できるように、制動ロータとこの制動ロータの内側に配置され、車軸に取付られるハブとを別個に形成し、制動ロータとハブとを所定の間隙を介して連結することで、この間隙で制動ロータの熱膨張を吸収するように構成している。
【０００３】
この場合、制動ロータの内周縁部に、所定の間隔を置いて第一の連結凹部を形成すると共に、この第一の連結凹部に突き合わせ可能な第二の連結凹部をハブの外周縁部に形成し、各連結凹部を突合せて組付けたときに形成される連結部である孔に、連結ピンをかしめることで、ハブからの制動ロータの抜け止めを行ないつつ制動ロータとハブとが連結される。
【０００４】
また、連結ピンと、制動ロータ及びハブの軸方向の面との間に位置するように、皿ばねなどの付勢手段が連結ピンの胴体部に外嵌状に設けられ、この付勢手段によって軸方向に付勢することで制動ロータとハブとがフローティング状態に連結されている（特許文献１）。
【特許文献１】特開２００２−３０３３４２号公報（例えば、特許請求の範囲の記載参照）
【発明の開示】
【発明が解決しようとする課題】
【０００５】
しかしながら、上記のものでは、連結ピンの胴体部に外嵌状に付勢手段を設けた状態で連結ピンをかしめるため、例えば連結ピンのかしめが強いと、付勢手段のばね特性に制限が加えられ、フローティング量が規制される。他方で、連結ピンのかしめが弱いと、軸方向への付勢が不十分になり、また、半径方向に大きな遠心力が加わった場合に連結部が外れる虞もある。このため、連結ピンを精度よくかしめる必要があり、その組付作業が面倒である。
【０００６】
また、付勢手段として皿ばねを用いると、軸方向の作用量の自由度が低く、軸方向の作用量を大きくしてフローティング量を大きくするには、皿ばねを軸方向に重ねたり、大きな径の皿ばねを用いる必要があり、この場合、制動時に制動ロータ面内の熱分布が不均一になり易く、制動を繰り返すと制動ロータに熱変形や熱劣化が生じる虞がある。
【０００７】
そこで、本発明の課題は、付勢手段の作用量の自由度が高く、組付容易であり、また、制動を繰り返しても制動ロータに熱変形や熱劣化が生じ難いフローティング型ブレーキディスクを提供することにある。
【課題を解決するための手段】
【０００８】
上記課題を解決するために、本発明のフローティング型ブレーキディスクは、環状の制動ロータとこの制動ロータの内側に配置されるハブとを備え、付勢手段により制動ロータを軸方向に付勢した状態でハブに制動ロータを連結したフローティング型ブレーキディスクであって、前記付勢手段が軸方向に作用する板ばねであり、この板ばねの脱落を防止する規制手段を設けたことを特徴とする。
【０００９】
本発明によれば、制動ロータの内側にハブを組付ける際、制動ロータが軸方向に付勢されるように板ばねをセットし、この状態でこの板ばねの脱落を防止する規制手段を設けて制動ロータとハブとを連結する。この場合、軸方向に作用する板ばねを用いることで、皿ばねなどの付勢手段を連結ピンの胴体部に外嵌状に設ける場合に比べてばねの作用量の自由度を高くできる。
【００１０】
この場合、前記規制手段によって、前記ハブからの前記制動ロータの軸方向の抜け止めを行なうように構成しておけば、制動ロータとハブとを連結するのに、別個の連結手段が不要で、付勢手段のばね特性を有効に使いつつ大きな遠心力によっても外れない制動ロータとハブとの簡単な連結構造が得られ、組付作業を簡素化できる。
【００１１】
前記規制手段は、例えば、制動ロータの内側にハブを組付けた際に、制動ロータ及びハブの軸方向の面の一部を軸方向両側から覆って少なくともハブの軸方向の面に面接触するように構成した一対の押さえ板を有することが好ましい。
【００１２】
この場合、前記一対の押さえ板の一方を、制動ロータ及びハブの軸方向の面の一部を覆う板状部とこの板状部から軸方向に延出させた柱状部とから構成し、この柱状部が貫通する開口を他方の押さえ板に形成し、前記柱状部を、ハブ及び制動ロータの少なくとも一方に設けた開口及び他方の押さえ板の開口を軸方向からそれぞれ貫通させ、その先端をかしめてハブに制動ロータを連結すれば、簡単なプレスかしめを用いることができ、組付作業をさらに容易にできる。その際、柱状部のかしめる箇所をブレーキディスクの背面側にすれば、美観を損うこともない。尚、かしめ箇所を２以上として、連結強度が高い構造となるようにしてもよい。
【００１３】
前記板ばねは略Ｌ字状に屈曲され、その一辺を制動ロータの内周縁部とハブの外周縁部とによって区画される空間に挿設して板ばねがセットされ、前記一辺の制動ロータの内周縁部及びハブの外周縁部にそれぞれ対向した面のうち少なくとも一方に隆起部を有するよようにすれば、この隆起部を、制動ロータの内周縁部及びハブの外周縁部の少なくとも一方に対向した面に当接させることで、制動ロータに作用する板ばねの位置決めができてよい。
【００１４】
前記制動ロータとハブとの板厚を相互に相違させ、規制手段と制動ロータとの間に軸方向の間隙を設けておけば、制動ロータが軸方向に移動自在となり、また、制動ロータ自体の板厚を薄肉できてさらなる軽量化を実現できる。
【００１５】
制動時の摩擦による温度上昇量が少ない部分を取り除くために、前記制動ロータの内周面及び外周面の少なくとも一方に凹部を形成しておけばよい。この場合、制動ロータ面内の熱分布のばらつきをさらに少なくでき、さらなる軽量化にも寄与する。
【００１６】
ところで、制動時の摩擦により制動ロータに生じた熱は、規制手段を経てハブへと伝播される。この場合、前記制動ロータの内周縁部に所定の間隔を置いて複数の突出片を形成すると共に、各突出片に対応してハブの外周縁部に凹部を形成し、各突出片を各凹部に嵌挿させつつ制動ロータの内側にハブを組付け、各突出片を各凹部に嵌挿させた領域に前記規制手段を配置し、前記突起片の半径方向に沿った両側面に対称にくぼみ部を設けておけばよい。これにより、制動ロータとハブとの連結箇所が小さくなること、制動ロータに生じた熱を規制手段に伝達する突出片の伝熱面積が減少することとが相俟って、ハブへの熱引けが抑制され、制動ロータ面内の熱分布のばらつきを少なくできる。これにより、制動を繰り返しても制動ロータ自体に熱変形や熱劣化が生じることを防止でき、その上、突出片にくぼみ部を設けることで、軽量化にも寄与する。
【発明の効果】
【００１７】
以上説明したように、本発明のフローティング型ブレーキディスクでは、付勢手段の作用量の自由度が高く、組付容易であり、また、制動を繰り返しても制動ロータに熱変形や熱劣化が生じ難いという効果を奏する。
【発明を実施するための最良の形態】
【００１８】
図１乃至図５を参照して説明すれば、Ａは、本発明のフローティング型ブレーキディスクである（図１では、フローティング型ブレーキディスクＡを正面側から示している）。このフローティング型ブレーキディスクＡは、制動ロータ１と、この制動ロータ１の内側に配置されるハブ２とから構成される。
【００１９】
図２に示すように、制動ロータ１は、ブレーキ操作時に、キャリパーにセットしたブレーキパッド（図示せず）に挟み込まれて制動力を発揮するロータ部１１を有する。ロータ部１１は、ステンレスなどの耐磨耗性を有する金属材料から構成され、平板で環状に形成されている。ロータ部１１の軸方向の面１１ａには、例えば制動性能の向上や重量軽減を図るために、円形の貫通孔１２が複数形成されている。各貫通孔１２は、後述する各突出片の中心を通る半径方向腺に左右対称になるように形成されている。本実施の形態では、半径方向腺上にも所定の間隔を置いて２個の貫通孔１２ａを形成している。これにより、制動ロータ１に方向性がなくなってよい。
【００２０】
また、ロータ部１１の内周面及び外周面には、凹部１３ａ、１３ｂが、後述する各突出片の中心を通る半径方向腺に左右対称になるように形成されている。この場合、各凹部１３ａ、１３ｂの形成位置は、軸方向の面１１ａに設けた各貫通孔１２、１２ａの形成位置（例えば、貫通孔１２からの凹部１３ａ、１３ｂまでの距離）などを考慮して制動ロータ１の強度が低下しないように設定される。
【００２１】
この場合、制動ロータ１の回転中心を中心として内周縁部及び外周縁部を通る円周の全長に対して凹部１３ａ、１３ｂを通過しない部分の長さがそれぞれ７６〜８９％の範囲となるように、各凹部１３ａ、１３ｂの開口部の断面積及び個数を設定することが好ましい（本実施の形態では、凹部１３ａ、１３ｂの断面積が貫通孔１２の断面積の略半分で、相互に隣接する突出片間に２個形成されている）。７６％より短いか、または８９％を超えると、十分な強度を保持しつつ、ロータ部１１面内の熱分布のばらつきが小さく抑制できない。これにより、制動時に摩擦による温度上昇量が小さい部分を取り除くことで、ロータ部１１面内における熱分布のばらつきを少なくでき、ひいては、ロータ部１１に熱変形や熱劣化が生じ難くできると共に軽量化にも寄与する。
【００２２】
図３に示すように、ハブ２は、ステンレスやアルミ合金などの制動時の荷重に耐え得る金属材料から形成され、フローティング型ブレーキディスクＡの軽量化のために平板で略星形に形成して５軸仕様としている。ハブ２は、図示しない車軸への装着を可能とする平板で環状の基部２１と、所定の間隔を置いて各基部２１から半径方向外側に向かって延出させた断面略台形状の５本の軸部２２とから構成され、この軸部２２は、ブレーキディスクＡの背面側に向かって屈曲させている（図４参照）。また、主として重量軽減を図るために、各軸部２２の軸方向の面２２ａには貫通孔２２ｂがそれぞれ形成されている。
【００２３】
制動ロータ１とハブ２とを連結するため、ハブ２の各軸部２２の外周縁部には、半径方向の凹部２２ｃが形成され、各凹部２２ｃに対応してロータ部１１の内周縁部には、その半径方向内側に向かって突出する５個の突出片１４が形成されている（図２参照）。この場合、突出片１４の板厚はロータ部１１の厚さと同じであり、その半径方向の高さは、各突出片１４を凹部２２ｃに嵌挿してたとき、各突出片１４の先端と凹部２２ｃの底面との間に所定の間隙が形成されるように定寸されている。
【００２４】
また、ロータ部１１と各突出片１４との境界領域で、各突出片１４には、この突出片１４の半径方向に沿った両側面に対称にかつ略円弧状に湾曲させてくぼみ部１４ａがそれぞれ形成されている。これにより、制動時にロータ部１１から各突出片１４への熱引けを起こす領域の伝熱面積が減少して、単位時間当たりにおけるロータ部１１から各突出片１４への熱引けが抑制され、ロータ部１１面内の熱分布のばらつきを少なくできる。
【００２５】
そして、各突出片１４を各凹部２２ｃに嵌挿させつつ制動ロータ１の内側にハブ２を組付けた後、後述する付勢手段３をそれぞれセットし、この状態で制動ロータ１及びハブ２軸方向に規制すると共に、付勢手段３の脱落を防止する規制手段４、５を設け、付勢手段３による軸方向への制動ロータ１の付勢と、ハブ２からの制動ロータ１の軸方向の抜け止めを行なうことで、ハブ２に制動ロータ１がフローティング状態に連結される。
【００２６】
図４乃至図７を参照して説明すれば、規制手段は、制動ロータ１の突出片１４をハブ２の凹部２２ｃに嵌挿した領域を軸方向両側から覆って少なくともハブ２の軸方向の面２２ａと面接触する一対の押さえ板４、５から構成されている。一方の押さえ板４は、板状部４１と、この板状部４１から軸方向に延出させた２本の円筒形状の柱状部４２とから構成されている（図６（ａ）及び（ｂ）参照）。
【００２７】
柱状部４２の挿入方向と反対側（フローティング型ブレーキディスクＡの裏面）に配置される他方の押さえ板５は、板状部４１と略同一形状に形成されており、その略中央部には、後述の付勢手段３が収納される凹溝５１が形成されている。また、押さえ板５には、各柱状部４２が貫通する２個の開口５２が形成されている。
【００２８】
そして、凹部２２ｃを挟む両側に位置してハブ２に、柱状部４２の外形に対応した開口２２ｄを設け、この開口２２ｄ及び開口５２に軸方向からこの柱状部４２を貫通させ、その先端をかしめることで、ハブ２に制動ロータ１が連結される。これにより、付勢手段３を収納する空間が確保されているので、簡単なプレスかしめ等によって柱状部４２の先端をかしめても、ばねの付勢力が変化することはなく、組付作業を容易に行い得る。この場合、かしめ箇所を２箇所としたため、付勢手段３のばね特性を有効に使いつつ、大きな遠心力によっても外れない制動ロータ１とハブ２との簡単でかつ連結強度が高い連結構造が得られる。尚、柱状部４２のかしめる箇所をブレーキディスクの背面側にすれば、美観を損うこともない。
【００２９】
図８に示すように、付勢手段は板ばね３から構成されている。板ばね３は、例えばステンレス製であって所定の長さ寸法を有する板材の一端に、この板材の長手方向延長線に対して一旦略直角に屈曲させて支持部３１を形成し、屈曲させた屈曲部３２からの残りの部分を付勢部３３とした。付勢部３３はまた、その先端部３３ａがロータ部１１の軸方向の面に面接触して軸方向に付勢し得るように略へ字状に屈曲させている。支持部３１の上面及び下面には、板材の幅方向に沿って隆起部３４ａ、３４ｂが形成されている。
【００３０】
そして、支持部３１を各突出片１４の先端と凹部２２ｃの底面との間の間隙に挿設して板ばね３がセットされる。この場合、隆起部３４ａ、３４ｂが各突出片１４の先端と凹部２２ｃの底面とにそれぞれ当接することで、ロータ部１１に作用する板ばね３が位置決めされる。また、押さえ板４を装着したとき板ばね３の屈曲部３２が凹溝５１に当接して、板ばね３が軸方向に規制される。
【００３１】
尚、本実施の形態では、突出片１４の板厚はハブ２の板厚より小さく設定している。これにより、制動ロータ１が、板状部４１と他方の押さえ板５との間で軸方向に移動自在となり、さらなる軽量化にも寄与する。この場合、突出片１４の板厚のみを小さくしてもよい。
【００３２】
上記のようにフローティング型ブレーキディスク１を構成することで、制動ロータ１とハブ２との連結箇所を小さくしたことと、突出片１４の伝熱面性が減少したこと、制動時に生じる熱量が小さい部分を取り除いたこととが相俟って、ハブ２への熱引けが抑制され、ロータ部１１面内の熱分布のばらつきを少なくできる。これにより、制動を繰り返してもロータ部１１に熱変形や熱劣化が生じることを防止でき、その上、軽量化も可能となる。
【００３３】
次に、図９を参照して本発明のフローティング型ブレーキディスクＡの組付を説明する。先ず一方の押さえ板４を、その板状部４１を下側にして設置し、ハブ２をその背面側を上にし、各柱状部４２に、ハブ２に設けた各開口２２ｄを差し込むようにしてセットする。次いで、ハブ２の外側に、各軸部２２の凹部２２ｃに各突出片１４をそれぞれ嵌挿させつつ制動ロータ１をその背面側を上にして設置する。この場合、ハブ２に対して制動ロータ１が同心となるように精度よく位置決めしておく必要はない。
【００３４】
次いで、各突出片１４の先端と各凹部２２ｃの底面との間にその上方から板ばね３の支持部３１をそれぞれ嵌め込む。この場合、隆起部３４ａ、３４ｂが、各突出片１４の先端及び各凹部２２ｃの底面に当接して、板ばね３が位置決めされると共に、ハブ２に対して制動ロータ１が位置決めされるようになる。
【００３５】
次いで、ハブ２から上方に突出した柱状部４２に、他方の押さえ板５の各開口５２を差し込むようにして押さえ板５をセットする。この場合、板ばね３の屈曲部３２が凹溝５１に当接する。そして、押さえ板５から突出した柱状部４２の先端部分をプレスかしめによりかしめて、ハブ２に制動ロータ１が連結される。この場合、板ばね３が軸方向に規制されるが、ロータ部１１に作用する板ばね３の付勢力は変化しない。
【００３６】
尚、本実施の形態では、５軸仕様のものについて説明したが、これに限定されるものではなく、その軸数は任意に設定することができる。
【実施例１】
【００３７】
実施例１では、図１に示すブレーキディスク１を製作し、制動時の制動ディスク１の温度分布を測定した。この場合、制動ディスク１をステンレス製とし、各突出片１４に、円弧状のくぼみ部１４ａを形成し、また、ロータ部１１の内周縁部のみ凹部１３ａを形成した。
【００３８】
市販のキャリパ及びブレーキパッドを用い、測定条件として、慣性マス１．２５Kgf・ｍ・S２、回転数１６５０ｒｐｍ、減速度０．６Gに設定した。制動回数を一回、二回及び五回（制動回数５回の場合のみ回転数を１２３０ｒｐｍとした）とし、制動ブレーキディスク１停止直後、停止から３０秒後、及び停止から６０秒後の制動ディスク１の温度分布を示す画像を図１０（ａ）、図１０（ｂ）及び図１０（ｃ）に示す。
（比較例１）
【００３９】
比較例１では、制動ロータとハブとを連結ピンを用いて連結した従来のブレーキディスク、即ち、制動ロータの内周縁部に、所定の間隔を置いて複数の第一の連結凹部を形成すると共に、この第一の連結凹部に突き合わせ可能な第二の連結凹部をハブの外周縁部に形成し、各連結凹部を突合せて組付けたときに形成される連結部である孔に、軸部に外嵌め状に皿ばねを設けた連結ピンをかしめてなるものを用いた。そして、上記実施例１と同様の測定条件で、制動回数を一回、二回及び五回（制動回数５回の場合のみ回転数を１２３０ｒｐｍとした）とし、制動ブレーキディスク停止直後、停止から３０秒後、及び停止から６０秒後の制動ディスク１１の温度分布を示す画像を図１１（ａ）、図１１（ｂ）及び図１１（ｃ）に示す。
【００４０】
図１０及び図１１を参照して説明すれば、比較例１では、特に、ロータ部の内周端側であって、連結ピンによる連結箇所の近傍（軸付近内周側）での熱引けが局所的に早いことから、時間の経過と共に連結箇所の近傍での温度低下量が大きく、ロータ部の略中央部とその内周端側との間で大きな温度差が生じ、ロータ部面内で大きな温度むらが生じていることが判る（図１１（ａ）参照）。このことは、制動回数が増やすことでロータ部が高温に加熱されると、より顕著になった（図１１（ｂ）及び図１１（ｃ）参照）。
【００４１】
それに対して、本実施例１では、特に突出片１４近傍での熱引けが抑制されていると共に、制動時に生じる熱量が小さい部分が取り除かれていることで、ロータ部１１面内での温度むらの発生が抑制されていることが判る（図１０（ａ）参照）。このことは、制動回数を増やすことでロータ部１１が高温になっても同様であった（図１０（ｂ）及び図１０（ｃ）参照）。
【図面の簡単な説明】
【００４２】
【図１】本発明のフローティング型ブレーキディスクの正面図。
【図２】制動ロータの正面図。
【図３】ハブの正面図。
【図４】図１のＩＶ−ＩＶ線に沿った断面図。
【図５】図１のＶ−Ｖ線に沿った断面図。
【図６】（ａ）及び（ｂ）は、一方の押さえ板を説明する図。
【図７】（ａ）及び（ｂ）は、他方の押さえ板を説明する図。
【図８】（ａ）及び（ｂ）は、付勢手段を説明する図。
【図９】本発明のフローティング型ディスクの組付を説明する図。
【図１０】（ａ）、（ｂ）及び（ｃ）は、本発明のフローティング型ブレーキディスクを用い、それぞれ制動回数を変えてブレーキ操作した後のロータ部の温度分布を示す画像。
【図１１】（ａ）、（ｂ）及び（ｃ）は、比較例として、従来形式のブレーキディスクを用い、それぞれ制動回数を変えてブレーキ操作した後のロータ部の温度分布を示す画像。
【符号の説明】
【００４３】
Ａ  フローティング型ブレーキディスク
１  制動ロータ
１１  ロータ部
１４  突出片
２  ハブ
２２  軸部
２２ｃ  凹部
３  板ばね（付勢手段）
４、５  規制手段
【図１】
2006161863.tif 000003
【図２】
2006161863.tif 000004
【図３】
2006161863.tif 000005
【図４】
2006161863.tif 000006
【図５】
2006161863.tif 000007
【図６】
2006161863.tif 000008
【図７】
2006161863.tif 000009
【図８】
2006161863.tif 000010
【図９】
2006161863.tif 000011
【図１０（ａ）】
2006161863.tif 000012
【図１０（ｂ）】
2006161863.tif 000013
【図１０（ｃ）】
2006161863.tif 000014
【図１１（ａ）】
2006161863.tif 000015
【図１１（ｂ）】
2006161863.tif 000016
【図１１（ｃ）】
2006161863.tif 000017